(57)【要約】【課題】電気的短絡が発生することを防止して安全性がさらに向上しうるパウチ型２次電池を提供する。【解決手段】第１電極板１１と第２電極板１２とがセパレータ１３を介在して備わる電極組立体１０と、柔軟な材質で形成され、少なくとも内面が絶縁されて前記電極組立体１０が収容される収容部２３を備え、前記収容部のエッジに沿って密封部を有し、前記密封部は、前記電極組立体の電極タップが外側に引出される第１密封部２４ａと、前記第１密封部の両側の第２密閉部２４ｂ及び第３密封部２４ｃとで備わるパウチケース２０と、前記電極タップに連結され、前記第１密封部の外側に載置される保護回路モジュール３０と、を含むものであって、前記第２及び第３密封部は、前記保護回路モジュールと反対の方向のパウチケースの表面に向かって折曲げられ、前記第２及び第３密封部の折曲げられた部分である短絡防止部を有するパウチ型２次電池である。【選択図】図２２
2008251540.tif 000002
【特許請求の範囲】
【請求項１】
第１電極板と第２電極板とがセパレータを介在して備わる電極組立体と、
柔軟な材質で形成され、少なくとも内面が絶縁されて前記電極組立体が収容される収容部を備え、前記収容部のエッジに沿って密封部を有し、前記密封部は前記電極組立体の電極タップが外側に引出される第１密封部と、
前記第１密封部の両側の第２及び第３密封部とで備わるパウチケースと、
前記電極タップに連結され、前記第１密封部の外側に載置される保護回路モジュールと、を含むものであって、
前記第２及び第３密封部は、前記保護回路モジュールと反対の方向のパウチケースの表面に向かって折曲げられ、前記第２及び第３密封部の折曲げられた部分である短絡防止部を有することを特徴とするパウチ型２次電池。
【請求項２】
前記第２及び第３密封部を折曲げる折曲線は、前記パウチケースの側面と平行であることを特徴とする請求項２に記載のパウチ型２次電池。
【請求項３】
前記第２及び第３密封部は、１回折曲げられることを特徴とする請求項１または２に記載のパウチ型２次電池。
【請求項４】
前記パウチケースは、外装ケースに収納され、前記外装ケースと少なくとも前記パウチケースの表面間には接着部材が介在され、前記接着部材は、前記第２及び第３密封部の折曲げられた部分間に位置することを特徴とする請求項１〜３のいずれか１項に記載のパウチ型２次電池。
【発明の詳細な説明】
【技術分野】
【０００１】
本発明は２次電池に係り、特に、構造が改善されたパウチケースを有するパウチ型２次電池に関する。
【背景技術】
【０００２】
通常、２次電池は再充電が可能であり、小型化及び大容量化が可能なものであって、代表的にはニッケル水素（Ｎｉ−ＭＨ）電池とリチウム（Ｌｉ）２次電池とが使われている。
【０００３】
２次電池は、電極組立体を収容しているケースの外観によって円筒形アルミニウム缶を使用する円筒形電池、角柱形のアルミニウム缶を使用する角柱形電池及び薄板のパウチケースに収納されるパウチ型電池に区分できる。
【０００４】
このうち、パウチ型２次電池は、所定電流を生成する電極組立体及び電解液を、柔軟性素材によりポケット状に形成されたパウチケースに収納して密封したものである。このようなパウチ型２次電池は、軽くて柔軟性があり、パッケージング構造設計を容易にするため、最近携帯用電話機やビデオカメラに多く使われている。図１は、前記のようなパウチ型２次電池に保護回路モジュールが接合された状態を示すものであって、ポケット状に形成されたパウチケース１の一端の密封部３ａに第１及び第２電極タップ２ａ，２ｂが引出されており、この第１及び第２電極タップ２ａ，２ｂは折曲げられ、そこに保護回路モジュール４が接合される。そして、電極タップが引出された密封部３ａの両側に位置する密封部３ｂは、１回または２回程度折曲げられてパウチケース１の側部に密着される。
【０００５】
しかし、このようなパウチ型２次電池は、その密封部の角部３ｃが外側に突出している形状であるので、外装パックによってパッケージングする時に前記突出している角部３ｃがこの外装パックと干渉する問題がある。特に、最近は前記外装パックが曲線化しているが、前記のような角部３ｃはこのような曲線化された外装パックに干渉されうる。これにより、前記角部３ｃは、外装パックにパッケージングする時につぶされる虞がある。
【０００６】
一方、このようなパウチケース１には、アルミニウム薄板のような金属性薄板にその表面を絶縁処理したものが多く使われる。すなわち、アルミニウム薄板にポリマー樹脂である変性ポリプロピレン、例えば、ＣＰＰ（Ｃａｓｔｅｄ  Ｐｏｌｙｐｒｏｐｙｌｅｎｅ）が熱接着層をなして塗布されており、その外面にナイロンやポリエチレンテレフタレート（ＰＥＴ：Ｐｏｌｙｅｔｈｙｌｅｎｅ  Ｔｅｒｅｐｈｔａｌａｔｅ）のような樹脂材が形成されている。しかし、図１に示すように、パウチケース１の外部の電極タップ２ａ，２ｂが露出される部分は、パウチケースが切断された部分である。したがって、この部分には、前述したようなパウチケースの材質、特に芯材であるアルミニウム薄板が露出される虞がある。
【０００７】
特に、前述したような密封部の突出した角部３ｃは、保護回路基板４の回路パターン部または基板４に搭載された電子部品（図示せず）と接触する虞があり、これにより、保護回路基板４のモジュールの電気的短絡を生じさせる可能性がある。それだけでなく、このような接触によって角部３ｃでの腐食が促進される虞がある。
【０００８】
このような現象は、前記角部３ｃが前述したように、外装パックによってつぶされる場合に、より頻繁に発生する。これは、すなわち、角部３ｃがつぶされるにつれて角部３ｃの切断面が保護回路基板４の回路パターン部または電子部品に接触する可能性がさらに高まるためである。
【０００９】
一方、特許文献１には、電極タップが引出された密封部の両側角部が切断された構造の２次電池が開示されている。
【００１０】
前記特許文献１に開示される２次電池は、電極タップ２ａ，２ｂが引出される密封部３ａの両側角部に図２Ｂまたは図２Ｃに示されるように、カッティング部Ｃを備え、両側部の密封部３ｂが折曲線Ｌ１及びＬ２に沿って２回折曲げられる。これは、図２Ａ及び図２Ｄに示されるように、保護回路基板４を収容する空間の寸法Ｋを広げるためのものである。しかし、前記のような２次電池は、図２Ａに示されるように、そのカッティング部Ｃの切断面が保護回路基板４の側面部に配置されざるをえない。したがって、この切断面が保護回路基板４に接触して保護回路基板４の保護回路モジュールを電気的に短絡させる虞がある。すなわち、前述したような図１により示した２次電池の問題が依然として解決されていない。
【特許文献１】特開２０００−２６８８０７号公報
【発明の開示】
【発明が解決しようとする課題】
【００１１】
本発明は前記問題点を解決するためのものであって、カッティングされた部分が保護回路モジュールと電気的に接触することを防止することにより、電池の芯材の腐食の促進、および電気的短絡の発生を防止できるパウチ型２次電池を提供することを目的とする。
【００１２】
また、本発明は、安全性がさらに向上したパウチ型２次電池を提供することを目的とする。
【課題を解決するための手段】
【００１３】
前記目的を達成するために本発明は、第１電極板と第２電極板とがセパレータを介在して備わる電極組立体と、柔軟な材質で形成され、少なくとも内面が絶縁されて前記電極組立体が収容される収容部を備え、前記収容部のエッジに沿って密封部を有し、前記密封部は前記電極組立体の電極タップが外側に引出される第１密封部と、前記第１密封部の両側の第２及び第３密封部とで備わるパウチケースと、前記電極タップに連結され、前記第１密封部の外側に載置される保護回路モジュールと、を含むものであって、前記第２及び第３密封部は、前記保護回路モジュールと反対の方向のパウチケースの表面に向かって折曲げられ、前記第２及び第３密封部の折曲げられた部分である短絡防止部を有しうる。
【００１４】
前記第２及び第３密封部を折曲げる折曲線は、前記パウチケースの側面と平行になりうる。
【００１５】
前記第２及び第３密封部は、１回折曲げられたものでありうる。
【００１６】
前記パウチケースは外装ケースに収納され、前記外装ケースと少なくとも前記パウチケースの表面間には接着部材が介在され、前記接着部材は、前記第２及び第３密封部の折曲げられた部分間に位置する。
【発明の効果】
【００１７】
本発明によれば、次のような効果を得られる。
【００１８】
第一に、密封部の側部が保護回路モジュールの回路部または電子部品と干渉することを遮断して保護回路モジュールに電気的短絡現象が発生することを防止し、パウチケースの金属芯材の腐食が生じることを防止できる。
【００１９】
第二に、パウチ型２次電池を外装パック、特に、曲線設計が適用される外装パックにパッケージングする時に外装パックと電池とが干渉することを防止し、設計自由度を高めうる。
【００２０】
第三に、電極タップが引出され、保護回路モジュールが載置される密封部をさらに薄くできて、電池の体積を減らすか、または高容量化を図りうる。
【００２１】
第四に、電池耐圧が許容値以上に上昇した時にカッティング部で先に破裂させることによって、電池の爆発及び発火を防止し、これにより電池安全性を増大させうる。
【発明を実施するための最良の形態】
【００２２】
以下、添付された図面を参照して、本発明の望ましい実施形態を詳細に説明する。
【００２３】
図３は、本発明の望ましい一実施形態に係るパウチ型２次電池を示す分解斜視図であり、図４は、図３のパウチ型２次電池の斜視図であり、図５及び図６は各々、図３のパウチ型２次電池平面図及び部分側面図である。
【００２４】
図示されるように、本発明の望ましい一実施形態に係るパウチ型２次電池は、第１電極板１１と第２電極板１２とがセパレータ１３を介在して備わる電極組立体１０と、この電極組立体１０が収納されるパウチケース２０とを有している。
【００２５】
前記電極組立体１０は、第１電極板１１と第２電極板１２とがセパレータ１３を介在して巻かれた電極ゼリーロールか、またはこれらが積層される積層型電極組立体を有している。
【００２６】
前記のような電極組立体１０において、第１電極板が正極板である時に第２電極板は負極板であり、第１電極板が負極板である時に第２電極板は正極板でありうる。
【００２７】
前記負極板は、ストリップ状の金属薄板よりなる負極集電体を有し、前記負極集電体としては、例えば、銅薄板が使用されうる。
【００２８】
前記負極集電体の少なくとも一面には負極合剤がコーティングされるが、前記負極合剤は、炭素材の負極活物質に、バインダー、可塑剤、導電材が含まれている混合物よりなりうる。
【００２９】
前記正極板は、ストリップ状の金属薄板よりなる正極集電体を備え、前記正極集電体としては、例えば、アルミニウム薄板が使用されうる。
【００３０】
前記正極集電体の少なくとも一面には正極活物質を含む正極合剤がコーティングされるが、前記正極合剤は、リチウム系酸化物の正極活物質に、バインダー、可塑剤、導電材が含まれている混合物よりなりうる。
【００３１】
このような負極板の一面と正極板の一面の間にはセパレータが設置され、この積層体が巻かれて電極組立体を形成する。前記セパレータは、正極板と負極板間を相互に絶縁する一方、極板間にて活物質イオンが交換させる。前記セパレータは、電極組立体が収縮及び膨脹されても極板間を完全に絶縁できるように十分な長さになることが望ましい。このような電極組立体には、これ以外にも、いかなる構造の電極組立体でも本発明に適用可能である。
【００３２】
前記のように形成された電極組立体１０の外側には第１電極タップ１４及び第２電極タップ１５が引出されるが、前記第１電極タップ１４及び第２電極タップ１５は、前記第１電極板及び第２電極板から各々延びているものであって、本発明の望ましい一実施形態によれば、前記第１電極タップ１４は負極タップであり、前記第２電極タップ１５は正極タップでありうる。この時、前記第１電極タップ１４は、ニッケルまたはニッケル合金、前記第２電極タップ１５は、アルミニウムまたはアルミニウム合金で作られている。前記のような第１電極タップ１４及び第２電極タップ１５は、その極性を別にして構成されうる。そして、このような第１及び第２電極タップ１４，１５には、図３に示されるようなタップテープ１６が各電極タップの少なくとも一面の所定部分に貼り付けられている。このようなタップテープ１６は、パウチケース２０と各電極タップ間の短絡を防止するために使われるものであって、接着面を有する絶縁性樹脂材よりなりうる。
【００３３】
前記のような電極組立体１０は、パウチケース２０の収容部２３に収容される。前記パウチケース２０は、前記収容部２３を備えるように凹状に形成されたケース本体２１と、前記ケース本体２１を覆って前記収容部２３を密封するパウチカバー２２とを有する。前記パウチカバー２２は、その一端が前記ケース本体２１から延びるように形成されて前記ケース本体２１に接合されて密封されうる。この時、前記パウチカバー２２の一端がケース本体２１に連結され、図５に示されるように、３つの密封部２４ａ，２４ｂ，２４ｃが形成されうる。このようなパウチケースの形状は、必ずしも前記に限定されず、多様な形状のパウチケースにも適用されうる。
【００３４】
前記のようなパウチケース２０は、図３に示されるように、その材質がアルミニウムのような金属製の芯部２２ａと、その外部に形成される絶縁性被覆部とを有している。この時、前記絶縁性被覆部は、ポリマー樹脂である変性ポリプロピレン、例えば、ＣＰＰが熱接着層２２ｂを形成し、その外側の露出される面にナイロンやＰＥＴのような樹脂材２２ｃが形成されるが、必ずしもこれに限定されるものではない。図３により、パウチカバー２２に対する材質を説明したが、パウチ本体２１もこれと同じである。
【００３５】
一方、前記のようなパウチケース２０において、電極タップ１４，１５は、前記密封部の外部に露出されるが、図５に示されるように、本発明の望ましい一実施形態によれば、ケース本体２１とパウチカバー２２とが連結される部分の反対側に位置する第１密封部２４ａを通じて露出されうる。
【００３６】
本発明の望ましい一実施形態によれば、前記第１密封部２４ａを中心に両側に位置する第２及び第３密封部２４ｂ，２４ｃは、外装パックにパッケージングされる時に体積を減らすためにケース本体２１の側面に向かって少なくとも１回折曲げられる。図４〜図１２に示されるような本発明の実施形態によれば、前記第２及び第３密封部２４ｂ，２４ｃは、収容部２３の両側に沿って延びた折曲線Ｌに沿って１回ずつ折曲げられてケース本体２１の側面に密着される。
【００３７】
前記のように構成された２次電池には、図３に示されるように、保護回路モジュール３０が連結されるが、この保護回路モジュール３０は、表面３４に印刷回路部がプリンティングされている基板３１に各種電子部品３５が搭載されており、第１端子及び第２端子３２，３３を備え、各々パウチケース２０の外側に露出される第１及び第２電極タップ１４，１５に接合される。この保護回路モジュール３０は、図４及び図６に示されたように、第１密封部２４ａに載置される。
【００３８】
前記のようなパウチ型２次電池において、本発明によれば、前記密封部の端部が保護回路モジュール３０と電気的に接触して電気的短絡が生じることを防止するために短絡防止部４０がさらに備わっている。
【００３９】
本発明の望ましい一実施形態によれば、前記短絡防止部４０は、前記第１密封部２４ａと第２密封部２４ｂ間及び前記第１密封部２４ａと第３密封部２４ｃ間に備わっており、各々その角部が前記保護回路モジュール３０と電気的に接触されることが防止されうる程度に切断されたカッティング部４１でありうる。
【００４０】
前記カッティング部４１は、このカッティング部のないケース本体２１及びパウチカバー２２を接合した後、その密封部の角部を切断することによって形成されうる。
【００４１】
本発明の望ましい一実施形態において、前記のようなカッティング部４１は、図５に示されるように、パウチケース２０の中心部に向かって引込まれた構造に形成されるが、本発明の望ましい一実施形態によれば、前記カッティング部４１の少なくとも一つは、前記パウチケース２０の長手方向に対してほぼ傾斜して形成される。
【００４２】
前記カッティング部４１は、図５に示されるように、前記第２及び第３密封部２４ｂ，２４ｃが折曲げられる折曲線Ｌの外側に位置される。この場合には、カッティング部４１と収容部２３間の最小距離Ｄが広げられて密封強度が十分に確保される。そして、図６に示されたように、第２及び第３密封部２４ｂ，２４ｃが折曲げられた後には、カッティング部４１の端部が保護回路モジュール３０と平行した方向に向かうため、このカッティング部４１の端部にたとえ金属材の芯部が露出されていても、この芯部と保護回路モジュール３０とが電気的短絡を起こす虞はない。
【００４３】
一方、本発明によれば、前記カッティング部４１の一端４１ａの位置と他端４１ｂの位置とを調節することによって第２及び第３密封部２４ｂ，２４ｃが折曲げられた後にカッティング部４１の端部と保護回路モジュール３０との電気的接触が生じることをさらに防止できる。
【００４４】
すなわち、前記カッティング部４１の一端４１ａは、図７に示されるように、少なくとも第１密封部２４ａに位置できる。この時、この一端４１ａは、前記第１密封部２４ａと第２及び第３密封部２４ｂ，２４ｃとの境界線、すなわち、前記第２及び第３密封部２４ｂ，２４ｃが折曲げられる折曲線Ｌの付近に位置できる。それだけでなく、前記カッティング部４１の一端４１ａは、図面に示さなかったが、前記折曲線Ｌから前記第１密封部２４ａの中心部に向かう部分に位置できる。
【００４５】
前記カッティング部４１の他端４１ｂは、前記第２及び第３密封部２４ｂ，２４ｃに位置するが、この時、前記収容部２３に対応する位置に位置できる。すなわち、前記他端４１ｂが前記第１密封部２４ａと収容部２３との境界が延びた境界線Ｂまたはこの境界線Ｂから第２及び第３密封部２４ｂ，２４ｃの中心に向かう部分に位置できる。
【００４６】
このように前記カッティング部４１の一端４１ａ及び他端４１ｂの位置を調節することによって、図８に示されるように、保護回路モジュール３０に干渉される危険を事前に遮断する。すなわち、収容部２３から保護回路モジュール３０と重なる密封部２４ａ，２４ｂ及び２４ｃの部分を最小化して、外装ケースに収納される時の、この密封部の部分がつぶされる虞を減らし、これにより密封部のカッティングされた端部が保護回路モジュールに装着された電子部品と電気的短絡を起こすか、または保護回路モジュールの印刷回路部に接触されて電気的短絡を起こす問題を防止しうる。
【００４７】
前記のようにカッティング部４１の一端４１ａ及び他端４１ｂの位置を調節することによって保護回路モジュール３０との電気的接触を防止するための構造として次のようにパウチケースを形成することもある。
【００４８】
すなわち、図１０に示されるように、保護回路モジュール３０の側面部３０ａに電気的回路パターンや電子部品が搭載されている場合には、図９のように、カッティング部４１の一端４１ａを折曲線Ｌから第１密封部２４ａの中心部側に位置させ、他端４１ｂを境界線Ｂから外側に位置させる。この場合には図１０に示されるように、カッティング部４１の他端４１ｂが保護回路モジュール３０と干渉するが、保護回路モジュール３０の電子部品や回路部が側面部３０ａに形成されていて電気的接触は生じなくなる。この時に、前記カッティング部４１の他端４１ｂを、前記境界線Ｂの付近に位置させることもできる。
【００４９】
一方、図１２に示されるように、保護回路モジュール３０の上面部３０ｂに電気的回路パターンや電子部品が搭載されている場合には、図１１のように、カッティング部４１の一端４１ａを折曲線Ｌから外側に位置させ、他端４１ｂを境界線Ｂから第２及び第３密封部２４ｂ，２４ｃの中心部側に位置させうる。この場合には図１０に示されたように、カッティング部４１の一端４１ａが保護回路モジュール３０と干渉するが、保護回路モジュール３０の電子部品や回路部が上面部３０ａに形成されていて電気的接触は生じなくなる。この時に、前記カッティング部４１の他端４１ｂを、前記境界線Ｂの付近に位置させることもできる。
【００５０】
前述した２次電池は、前記カッティング部４１が傾斜して備わったものであったが、本発明は必ずしもこれに限定されず、前記カッティング部４１は、その端部が前記保護回路モジュール３０と電気的に接触しないものであれば、いかなる形状でも適用できる。一例として、図１３及び図１４に示されるように、前記カッティング部４１のうち少なくとも一つが曲率部を有するようにすることができる。前記曲率部は、単一の半径を有するように一つの円弧状から成ることもあり、異なる半径を有する部分を少なくとも２つ以上備えることもある。この時にも、カッティング部４１の一端４１ａ及び他端４１ｂは、前述した限定事項をそのままに採用できる。
【００５１】
このようにカッティング部４１を図１３及び図１４のように、曲率部が備わるように形成すると、カッティング部４１と収容部２３との最小距離Ｄをさらに広く維持することができるので、密封強度を適正水準に維持すると同時に、前述したように、保護回路モジュール３０とカッティング部４１の断面とが電気的に接触することを防止できる。
【００５２】
前記カッティング部の形状は、これ以外にも角部が段差付き形状に切断されていることもあり、凹凸状に形成されることもある。前述したような本発明によるカッティング部４１は、前記パウチ型２次電池を端部が丸くなった外装パック（図示せず）にパッケージングする時にもパッケージング設計の自由度を増大させうる。すなわち、曲線設計を要する外装パックの場合、折曲げられた第２及び第３密封部の角部が干渉を起すが、この時、前述したように、カッティング部を備えたパウチ型２次電池を採用することによって電池が外装パックと干渉しない。
【００５３】
それだけでなく、このようなカッティング部によって、第１密封部２４ａの幅をさらに狭くできる。すなわち、最近の傾向は、保護回路モジュールの小型化によって第１密封部２４ａの幅をさらに狭くして電池の体積を減らすか、またはパウチケースの空間部を増大させて高容量化を図るのであるが、前記のようなカッティング部４１を採用することによって外側に突出する密封部の部分をなくすことができる。これにより、第１密封部２４ａの幅を狭くでき、結果として、電池体積を全体的に減らすか、または空間部を増やして高容量化できる。
【００５４】
一方、本発明によるカッティング部４１は、図５〜図１４に示されるように、このカッティング部４１と収容部２３間の最小距離Ｄを調節することによって安全弁としての機能しうる。すなわち、パウチ型２次電池は、過充電または過放電やその他の激しい条件で使用した時に電池内部の温度上昇と共にガスが発生してしまう。これは、特にリチウム２次電池の場合に非常に危険になりうるものであって、電池が爆発してユーザに傷害を加える危険がある。したがって、電池内部の圧力が許容値以上に上昇した場合には、その内部ガスを外部に放出して電池の安全性を図らなければならない。本発明では、このような２次電池の安全弁としての機能のために前記カッティング部４１と収容部２３との最小距離Ｄを調節する。カッティング部４１と収容部２３との最小距離Ｄは、電池の内部圧力が２〜２０気圧である場合、さらに望ましくは４〜８気圧である場合に、このカッティング部４１が破裂されうる距離になるように調節する。この時、前記最小距離Ｄは、電池の密封効果のための最小限の長さ以上でなければならない。
【００５５】
一方、前述したパウチ型２次電池は、第２及び第３密封部２４ｂ，２４ｃを１回折曲げた実施例だけを示すものであるが、本発明は必ずしもこれに限定されず、図１５及び図１６に示されるように、第２及び第３密封部２４ｂ，２４ｃが２回折曲げられたパウチ型２次電池にも適用されうる。
【００５６】
このような２次電池は、図１５に示されるように、第２及び第３密封部２４ｂ，２４ｃに第１折曲線Ｌ１が形成され、その内側に第２折曲線Ｌ２が備わる。そして、カッティング部は、第１カッティング部４２と第２カッティング部４３とを有する。
【００５７】
第１カッティング部４２は、その一端４２ａが第１密封部２４ａまたはそれから延びた延長部、すなわち、第１密封部２４ａと第２及び第３密封部２４ｂ，２４ｃ間の部分に位置し、他端４２ｂが第１折曲線Ｌ１に位置する。
【００５８】
第２カッティング部４３は、その一端４３ａが前記第１折曲線Ｌ１に位置し、他端４３ｂが第２及び第３密封部２４ｂ，２４ｃの外側端部に位置する。
【００５９】
このような第１及び第２カッティング部４２，４３は、図１５のように、第２及び第３密封部２４ｂ，２４ｃを収容部２３の側壁に密着されるように２回折曲げた後に、第１密封部２４ａと第２及び第３密封部２４ｂ，２４ｃ間の角に当る部分を一括切断したものであって、折曲げられた第２及び第３密封部２４ｂ，２４ｃを再びひろげれば図１６のような形状になる。したがって、このような実施例においては、第１カッティング部４２の他端４２ｂと第２カッティング部４３の一端４３ａとは相互に一致し、第１カッティング部４２と第２カッティング部４３とは相互に対称となる。
【００６０】
このような第１及び第２カッティング部４２，４３において、前記第１カッティング部４２の一端４２ａを前記第２折曲線Ｌ２の付近に位置させることができる。また、前記第１カッティング部４２の他端４２ｂは、前記境界線Ｂの付近に位置させることができる。もちろん、この時に第１カッティング部４２と第２カッティング部４３とは相互に対称であるので、第２カッティング部４３の一端４３ａは、前記境界線Ｂの付近に位置する。このように第１及び第２カッティング部４２，４３の両端の位置を限定すれば、第２及び第３密封部２４ｂ，２４ｃを折曲げた時に図６に示されるような側面形状を得られ、第１及び第２カッティング部４２，４３の断面が保護回路モジュール３０と電気的接触を起こさせないことができる。
【００６１】
一方、図面に示さなかったが、図８のような側面形状を得るために第１カッティング部４２の一端４２ａを第２折曲線Ｌ２に位置させ、他端４２ｂを境界線Ｂに位置させることもある。もちろん、この時にも、第２カッティング部４３は、第１カッティング部４２と対称になる。
【００６２】
このように第１カッティング部４２の一端４２ａ及び他端４２ｂの位置を調節し、第２カッティング部４３を、第１カッティング部４２に対称にすることによって、図１０及び図１２のような多様な形態の側面形状を得られる。
【００６３】
そして、前記のような第１及び第２カッティング部４２，４３を図１７のように所定の曲率部を備えるように形成できる。曲率部についての事項は前記と同じであるので、ここでその詳細な説明は省略する。
【００６４】
一方、前記のような第２カッティング部４３は、第１カッティング部４２と対称になるように形成しないこともある。
【００６５】
すなわち、図１８に示されるように、前記第２カッティング部４３を前記第１カッティング部４２と連続するように切断した後に、第２及び第３密封部２４ｂ，２４ｃを第１及び第２折曲線Ｌ１，Ｌ２に沿って折曲げる。この時、第１カッティング部４２の両端は、前述した図５、図７、図９及び図１１のような限定事項が反映されるように形成できる。そして、この時、第２カッティング部４３の一端４３ａは、第１カッティング部４２の他端４２ｂと一致させ、第２カッティング部４３の他端４３ｂは、第２及び第３密封部２４ｂ，２４ｃの側端部のいかなる位置に位置させても良い。
【００６６】
このように第１及び第２カッティング部４２，４３を形成しても第２及び第３密封部２４ｂ，２４ｃを２回折曲げた後の側面形状は、図６、図８、図１０及び図１２のようになるので、第１及び第２カッティング部４２，４３の断面と保護回路モジュール３０とは電気的接触が防止されうる。
【００６７】
本発明においては、前記カッティング部をこのように第１密封部２４ａと第２及び第３密封部２４ｂ，２４ｃ間の角部にだけ配置させることもあり、これ以外にも図１９に示されるように、第１密封部２４ａと反対側の第２及び第３密封部２４ｂ，２４ｃの角部に別途の補助カッティング部４４をさらに形成することもある。この補助カッティング部４４は、前記２次電池を外装パックに収納する時に、その外装パックの内部形状に対応するように形成され、外装パックと干渉することを防止し、パッケージング設計の自由度を増大させうる。
【００６８】
一方、本発明において、前記短絡防止部４０は、図２０及び図２１に示されたように、第２及び第３密封部２４ｂ，２４ｃの角部が収容部２３と反対の外側方向に折曲げられた折曲部４５で備わることもできる。
【００６９】
前記折曲部４５は、図２０に示されたように、第２及び第３密封部２４ｂ，２４ｃが前記パウチケース２０の側面、すなわち、収容部２３に向かって折曲げられた状態で第２及び第３密封部２４ｂ，２４ｃの角部が保護回路モジュール３０と干渉を起こすことを最大限防止するために外側に折曲げられたものであり、傾斜して備わっている。
【００７０】
前記のように折曲部４５として短絡防止部４０を構成する場合には、密封部の端部から露出される虞のある金属材と保護回路モジュールとを基本的に分離させることによって確実な短絡防止を保証するとともに、密封強度を最大限保証する長所がある。また、折曲部４５以外の第２及び第３密封部２４ｂ，２４ｃの部分に、図２１に示されるように、ある程度の余裕があるため、保護回路モジュール３０を第１密封部２４ａに搭載した後にも電池の全体幅はあまり広くならず、外装パックに組立てる場合にも全く問題にならない。
【００７１】
図１９に示されるような補助カッティング部４４は、図２０及び図２１の実施例にも同様に適用できる。
【００７２】
図２２及び図２３は、本発明のさらに他の一実施形態による２次電池を示す図面であって、第２及び第３密封部２４ｂ，２４ｃが保護回路モジュール３０と反対の方向のパウチケースの表面、すなわち、パウチカバー２２の面に向かって折曲げられたものである。この時、短絡防止部４０は、前記第２及び第３密封部２４ｂ，２４ｃの折曲げられた部分となる。このように第２及び第３密封部２４ｂ，２４ｃを折曲げる折曲線は、パウチケースの側面と平行になり、これにより、収容部の側面と平行に折曲げられて体積を最大限減らす。そして、このような第２及び第３密封部２４ａ，２４ｂは、その体積を最大限減らすために１回折曲げられることが望ましい。
【００７３】
このようにパウチカバー２２の表面に向かって第２及び第３密封部２４ａ，２４ｂを折曲げて短絡防止部４０を構成することによって、密封部の端部は、保護回路モジュールと全く接触せず、結果的に密封部の端部での短絡や腐食問題は完全に解決される。
【００７４】
そして、このようにパウチカバー２２の表面に向かって第２及び第３密封部２４ａ，２４ｂを折曲げて短絡防止部４０を構成することによって体積、さらに詳細にはパウチ電池の全体厚さが厚くなりうるが、これも図２３のように外装パック５０にパッケージングする過程で解消されうる。すなわち、図２２のようなパウチ電池２０を図２３のように外装パック５０に収納する場合に、外装パック５０とパウチ電池２０間には両面テープのような接着部材６０が介在されるが、図２３に示されるようにパウチ電池２０の下部に介在される接着部材６０を前記第２及び第３密封部２４ｂ，２４ｃの折曲部の間に位置させることによって折曲げられた第２及び第３密封部の部分が別途の厚さとして作用しないようにできる。したがって、パッケージング後の電池全体の厚さは、依然として同一に維持されうる。
【００７５】
本発明のさらに他の一実施形態によれば、前記短絡防止部４０を図２４に示されるように、前記第１密封部２４ａに介在される絶縁テープ４６で形成できる。
【００７６】
図２４に示されたように、前記絶縁テープ４６は、前記第１密封部２４ａの部分だけでなく、前記第１密封部２４ａと連結された第２及び第３密封部２４ｂ，２４ｃの部分まで延びばすことができ、望ましくは、これら密封部の端部に露出されうる。このように絶縁テープ４６が密封部の端部に露出されることによって第２及び第３密封部２４ｂ，２４ｃを折曲線Ｌに沿って折曲げても密封部の端部と保護回路モジュールとが干渉されて電気的短絡が起るか、または端部での腐食が起ることを徹底的に防止できる。
【００７７】
前記のような絶縁テープ４６は、図２４に示されるように、全体が一体に連結されている一つの絶縁テープでも形成されうるが、本発明は必ずしもこれに限定されず、第１密封部２４ａと第２密封部２４ｂ間及び第１密封部２４ａと第３密封部２４ｃ間の各々の部分に、複数介在させて形成することもできる。
【００７８】
本発明は、添付された図面に示された一実施形態を参考として説明されたが、これは例示的なものに過ぎず、当業者なら、これから多様な変形及び同等な他の実施形態が可能であると思われる。したがって、本発明の真の保護範囲は、特許請求の範囲によって決定されなければならない。
【産業上の利用可能性】
【００７９】
本発明は携帯電話やビデオカメラに使用されうる。
【図面の簡単な説明】
【００８０】
【図１】従来のパウチ型２次電池及び保護回路モジュールの結合状態を示す斜視図である。
【図２Ａ】従来のパウチ型２次電池の他の例を示す斜視図である。
【図２Ｂ】従来のパウチ型２次電池のさらに他の例を示す平面図である。
【図２Ｃ】従来のパウチ型２次電池のさらに他の例を示す平面図である。
【図２Ｄ】従来のパウチ型２次電池のさらに他の例を示す断面図である。
【図３】本発明の望ましい一実施形態によるパウチ型２次電池の分解斜視図である。
【図４】図３のパウチ型２次電池の斜視図である。
【図５】図３のパウチ型２次電池の平面図である。
【図６】図３のパウチ型２次電池の部分側面図である。
【図７】本発明の望ましい他の一実施形態によるパウチ型２次電池の平面図である。
【図８】図７のパウチ型２次電池の部分側面図である。
【図９】本発明の望ましいさらに他の一実施形態によるパウチ型２次電池の平面図である。
【図１０】図９のパウチ型２次電池の部分側面図である。
【図１１】本発明の望ましいさらに他の一実施形態によるパウチ型２次電池の平面図である。
【図１２】図１１のパウチ型２次電池の部分側面図である。
【図１３】本発明の望ましいさらに他の一実施形態によるパウチ型２次電池の斜視図である。
【図１４】図１３のパウチ型２次電池の平面図である。
【図１５】第２及び第３密封部を２回折曲げる本発明の実施形態によるパウチ型２次電池の斜視図である。
【図１６】図１５に示されるパウチ型２次電池の異なる実施例を示す平面図である。
【図１７】図１５に示されるパウチ型２次電池のさらに異なる実施形態を示す平面図である。
【図１８】図１５に示されるパウチ型２次電池のさらに異なる実施形態を示す平面図である。
【図１９】補助カッティング部を有する本発明の望ましいさらに他の一実施形態によるパウチ型２次電池の側面図である。
【図２０】折曲部を有する本発明の望ましいさらに他の一実施形態によるパウチ型２次電池の斜視図である。
【図２１】図２０の平面図である。
【図２２】第２及び第３密封部がパウチカバー側に折曲げられた本発明の望ましいさらに他の一実施形態によるパウチ型２次電池の斜視図である。
【図２３】図２２の２次電池が外装パックにパッケージングされた時の断面図である。
【図２４】絶縁テープを有する本発明の望ましいさらに他の一実施形態によるパウチ型２次電池の斜視図である。
【符号の説明】
【００８１】
１０        電極組立体
１１        第１電極板
１２        第２電極板
１３        セパレータ
１４        第１電極タップ
１５        第２電極タップ
１６        タップテープ
２０        パウチケース
２１        ケース本体
２２        パウチカバー
２２ａ        芯部
２２ｂ        熱接着層
２２ｃ        樹脂材
２３        収容部
２４ａ，２４ｂ，２４ｃ        第１及び第２密封部
３０        保護回路モジュール
３１        基板
３２        第１端子
３３        第２端子
３４        表面
３５        電子部品
４１        カッティング部
【図１】
2008251540.tif 000003
【図２Ａ】
2008251540.tif 000004
【図２Ｂ】
2008251540.tif 000005
【図２Ｃ】
2008251540.tif 000006
【図２Ｄ】
2008251540.tif 000007
【図３】
2008251540.tif 000008
【図４】
2008251540.tif 000009
【図５】
2008251540.tif 000010
【図６】
2008251540.tif 000011
【図７】
2008251540.tif 000012
【図８】
2008251540.tif 000013
【図９】
2008251540.tif 000014
【図１０】
2008251540.tif 000015
【図１１】
2008251540.tif 000016
【図１２】
2008251540.tif 000017
【図１３】
2008251540.tif 000018
【図１４】
2008251540.tif 000019
【図１５】
2008251540.tif 000020
【図１６】
2008251540.tif 000021
【図１７】
2008251540.tif 000022
【図１８】
2008251540.tif 000023
【図１９】
2008251540.tif 000024
【図２０】
2008251540.tif 000025
【図２１】
2008251540.tif 000026
【図２２】
2008251540.tif 000027
【図２３】
2008251540.tif 000028
【図２４】
2008251540.tif 000029
【手続補正書】
【提出日】平成20年6月18日(2008.6.18)
【手続補正１】
【補正対象書類名】特許請求の範囲
【補正対象項目名】全文
【補正方法】変更
【補正の内容】
【特許請求の範囲】
【請求項１】
第１電極板と第２電極板とがセパレータを介在して備わる電極組立体と、
柔軟な材質で形成され、少なくとも内面が絶縁されて前記電極組立体が収容される収容部を備え、前記収容部のエッジに沿って密封部を有し、前記密封部は前記電極組立体の電極タップが外側に引出される第１密封部と、
前記第１密封部の両側の第２及び第３密封部とで備わるパウチケースと、
前記電極タップに連結され、前記第１密封部の外側に載置される保護回路モジュールと、を含むものであって、
前記第２及び第３密封部は、前記保護回路モジュールと反対の方向のパウチケースの表面に向かって折曲げられ、前記第２及び第３密封部の折曲げられた部分である短絡防止部を有することを特徴とするパウチ型２次電池。
【請求項２】
前記第２及び第３密封部を折曲げる折曲線は、前記パウチケースの側面と平行であることを特徴とする請求項１に記載のパウチ型２次電池。
【請求項３】
前記第２及び第３密封部は、１回折曲げられることを特徴とする請求項１または２に記載のパウチ型２次電池。
【請求項４】
前記パウチケースは、外装ケースに収納され、前記外装ケースと少なくとも前記パウチケースの表面間には接着部材が介在され、前記接着部材は、前記第２及び第３密封部の折曲げられた部分間に位置することを特徴とする請求項１〜３のいずれか１項に記載のパウチ型２次電池。